(57)【要約】【課題】本発明は、組立操作のスペースが広く、便利に操作できる駆動装置、カメラモジュール、電子機器及び駆動装置の製造方法を提供する。【解決手段】本発明の駆動装置は、ベース、下側スプリング、レンズユニット、上側スプリング、コイル及び磁石を備え、ベースは端子を備え、下側スプリングはベースとレンズユニットとの間に弾性的に設けられ、レンズユニットはベースに対し移動可能にベースに設けられ、上側スプリングはレンズユニットに設けられ、コイルはレンズユニットに設けられ、磁石はコイルに対応して設けられ、端子は一端がベースの底部から露出し、他端が上側スプリングに向かって上側スプリングに電気的に接続する位置まで延伸され、上側スプリングはコイルにも電気的に接続されている。【選択図】図１
2020154306.tif 000002
【特許請求の範囲】
【請求項１】
ベース（１０）と、下側スプリング（１２）と、レンズユニット（１４）と、上側スプリング（１６）と、コイル（１８）及び磁石（２０）とを備え、
前記ベース（１０）は、端子（１０２）を備え、
前記下側スプリング（１２）は、前記ベース（１０）と前記レンズユニット（１４）との間に弾性的に設けられ、
前記レンズユニット（１４）は、前記ベース（１０）に対し移動可能に前記ベース（１０）に設けられ、
前記上側スプリング（１６）は前記レンズユニット（１４）に設けられ、
前記コイル（１８）は、前記レンズユニット（１４）に設けられ、
前記磁石（２０）は、前記コイル（１８）に対応して設けられ、
前記端子（１０２）は、一端が前記ベース（１０）の底部から露出し、他端が前記上側スプリング（１６）に向かって前記上側スプリング（１６）に電気的に接続される位置まで延伸され、
前記上側スプリング（１６）は、前記コイル（１８）にも電気的に接続されていることを特徴とする駆動装置。
【請求項２】
前記レンズユニット（１４）は、キャリア（１４２）と、前記キャリア（１４２）に固定されているレンズ（１４４）とを備え、前記キャリア（１４２）と前記レンズ（１４４）は一体的に構成されていることを特徴とする請求項１に記載の駆動装置。
【請求項３】
前記コイル（１８）は２つであり、それぞれ前記レンズユニット（１４）の互いに向かい合う両側に設けられていることを特徴とする請求項１に記載の駆動装置。
【請求項４】
前記磁石（２０）は２つであり、前記ベース（１０）の上に覆設されるハウジング（２２）の対向する２つの内面に設けられ、２つの前記コイル（１８）にそれぞれ対向していることを特徴とする請求項３に記載の駆動装置。
【請求項５】
前記上側スプリング（１６）は、１つの第１上側スプリング部（１６２）と２つの第２上側スプリング部（１６４）を備え、
前記第１上側スプリング部（１６２）と前記第２上側スプリング部（１６４）は、いずれも一端が前記ベース（１０）に固定的に連結され、他端が前記レンズユニット（１４）に固定的に連結され、
２つの前記第２上側スプリング部（１６４）は、２つの前記端子（１０２）にそれぞれ電気的に接続され、
２つの前記コイル（１８）は、一端が２つの前記第２上側スプリング部（１６４）にそれぞれ電気的に接続され、他端が前記第１上側スプリング部（１６２）にそれぞれ電気的に接続されていることを特徴とする請求項４に記載の駆動装置。
【請求項６】
前記ベース（１０）は、基底部（１０４）をさらに備え、前記端子（１０２）は前記ベース（１０）内に嵌装され、前記ベース（１０）には、第１突出柱（１０６）及び第２突出柱（１０８）が設けられ、
前記下側スプリング（１２）には、第１係合孔（１２２）が形成され、前記第１突出柱（１０６）は前記第１係合孔（１２２）内に係合可能に挿入され、
前記キャリア（１４２）には第３突出柱（１４６）が設けられ、
前記上側スプリング（１６）は、第２内側部、第２連結変形部及び第２外側部を備え、前記第２連結変形部は、前記第２内側部と前記第２外側部との間を連結し、
前記第２外側部には第２係合孔（１６６）が形成され、前記第２内側部には第３係合孔（１６８）が形成され、
前記第２突出柱（１０８）は前記第２係合孔（１６６）内に係合可能に挿入され、前記第３突出柱（１４６）は、前記第３係合孔（１６８）内に係合可能に挿入されていることを特徴とする請求項２に記載の駆動装置。
【請求項７】
前記駆動装置はハウジング（２２）をさらに備え、
前記ハウジング（２２）は前記ベース（１０）の上に覆設され、
前記下側スプリング（１２）、前記レンズユニット（１４）、前記上側スプリング（１６）、前記コイル（１８）及び前記磁石（２０）は、いずれも前記ハウジング（２２）内に収容され、
前記端子（１０２）は、前記レンズユニット（１４）と前記ハウジング（２２）との間に位置して前記上側スプリング（１６）に電気的に接続されることを特徴とする請求項２に記載の駆動装置。
【請求項８】
２つの端子（１０２）を含むベース（１０）と、レンズユニット（１４）と、前記レンズユニット（１４）を上側から支持する上側スプリング（１６）と、前記レンズユニット（１４）に設けられるコイル（１８）と、を備え、
前記ベース（１０）は、その角部で立設する少なくとも２つの角柱（１０７）を有し、前記２つの端子（１０２）は、その一端が前記ベース（１０）の底部から露出し、他端が前記角柱（１０７）の上面（１０７Ａ）から露出し、
前記上側スプリング（１６）は、内側部と、外側部と、前記内側部と前記外側部との間を連結する連結変形部と、を有して、少なくとも２つの上側スプリング部（１６４）に分割され、
それぞれの前記上側スプリング部（１６４）の前記外側部は、前記上面（１０７Ａ）で前記ベース（１０）に連結されるとともに前記端子（１０２）に電気的に接続され、それぞれの前記内側部は、前記レンズユニット（１４）に連結されるとともに前記コイル（１８）の端部が電気的に接続されることを特徴とする駆動装置。
【請求項９】
請求項１乃至８のいずれか一項に記載の駆動装置を備えたカメラモジュール。
【請求項１０】
請求項９に記載のカメラモジュールを備えた電子機器。
【請求項１１】
端子（１０２）を備えたベース（１０）を提供し、
下側スプリング（１２）を提供し、前記下側スプリング（１２）を前記ベース（１０）に設け、前記下側スプリング（１２）の一端を前記ベース（１０）に固定し、
レンズユニット（１４）及びコイル（１８）を提供し、前記コイル（１８）を前記レンズユニット（１４）に設け、前記レンズユニット（１４）を前記ベース（１０）に設け、且つ、前記下側スプリング（１２）の他端を前記レンズユニット（１４）に接続し、
上側スプリング（１６）を提供し、前記上側スプリング（１６）を前記レンズユニット（１４）に設け、且つ、前記上側スプリング（１６）を、前記端子（１０２）と前記コイル（１８）にそれぞれ電気的に接続し、
磁石（２０）及びハウジング（２２）を提供し、前記磁石（２０）を前記ハウジング（２２）内に設け、且つ、前記ハウジング（２２）を前記レンズユニット（１４）上に覆設して、前記上側スプリング（１６）が前記レンズユニット（１４）と前記ハウジング（２２）との間に位置させ、且つ前記磁石（２０）と前記コイル（１８）を対応配置させるようにすることを特徴とする駆動装置の製造方法。
【発明の詳細な説明】
【技術分野】
【０００１】
本発明は、結像技術分野に関し、特に、駆動装置、カメラモジュール、電子機器及び駆動装置の製造方法に関する。
【背景技術】
【０００２】
科学技術の進歩に伴い、カメラモジュールの応用がますます広くなり、現在、カメラ、携帯電話、パソコンなどの多くの電子機器にはカメラモジュールが搭載されている。このため、ユーザーはいつでもどこでも便利に写真を撮ることができ、生活上の利便性や楽しみを高めている。カメラモジュールは、固定焦点カメラモジュールと可変焦点カメラモジュールがあって、可変焦点カメラモジュールでは、駆動装置によりレンズを駆動し移動させて、焦点調節を行う。
【０００３】
通常、駆動装置は、ベース、下側スプリング、キャリア、上側スプリング、磁石、コイル及びハウジングを備え、下側スプリングはベースに設けられ、キャリアはベースに設けられ且つ上側スプリングと下側スプリングとの間に位置し、コイルは下側スプリングを介して駆動装置の下方にある回路基板と電気的に接続して、電気伝導を実現する。コイルに通電すると、コイルは磁石の磁力作用によりキャリアを駆動して上下に移動させる力を発生し、これにより、キャリアに装着しているレンズを動かして上下に移動させ、焦点合わせを実現する。このような駆動装置は、組立時一般的には下側スプリング、キャリア及びコイルを可動部として組立して、可動部をベースに組立し、最終に、組立後の全体を、内部に磁石と上側スプリングが設けられているハウジングに連結する。
【発明の概要】
【発明が解決しようとする課題】
【０００４】
しかしながら、上記駆動装置では、下側スプリングと回路基板が電気的に接続し、下側スプリングとキャリア、コイルとを組立してからベースと電気的に接続するため、接続時の操作スペースが小さくなり、操作が不便であった。
【０００５】
ここで、上述の説明は一般的な背景情報を提供するためのものであり、従来技術を構成するとは限らない。
【０００６】
以上に鑑みて、本発明の目的は、組立操作のスペースが広く、便利に操作できる駆動装置、カメラモジュール、電子機器及び駆動装置の製造方法を提供することである。
【課題を解決するための手段】
【０００７】
本発明による駆動装置は、ベースと、下側スプリングと、レンズユニットと、上側スプリングと、コイル及び磁石とを備え、前記ベースは、端子を備え、前記下側スプリングは、前記ベースと前記レンズユニットとの間に弾性的に設けられ、前記レンズユニットは、前記ベースに対し移動可能に前記ベースに設けられ、前記上側スプリングは前記レンズユニットに設けられ、前記コイルは、前記レンズユニットに設けられ、前記磁石は、前記コイルに対応して設けられ、前記端子は、一端が前記ベースの底部から露出し、他端が前記上側スプリングに向かって前記上側スプリングに電気的に接続される位置まで延伸され、前記上側スプリングは、前記コイルにも電気的に接続されている。
【０００８】
本発明において、前記レンズユニットは、キャリアと、前記キャリアに固定されるレンズとを備え、前記キャリアと前記レンズは一体的に構成されることが好ましい。
【０００９】
本発明において、前記コイルは２つであり、それぞれ前記レンズユニットの互いに向かい合う両側に設けられることが好ましい。
【００１０】
本発明において、前記磁石は２つであり、前記ベースの上に覆設されるハウジングの対向する２つの内面に設けられ、２つの前記コイルにそれぞれ対向していることが好ましい。
【００１１】
本発明において、前記上側スプリングは、１つの第１上側スプリング部と２つの第２上側スプリング部を備え、前記第１上側スプリング部と前記第２上側スプリング部は、いずれも一端が前記ベースに固定的に接続され、他端が前記レンズユニットに固定的に接続され、２つの前記第２上側スプリング部は、２つの前記端子にそれぞれ電気的に接続され、２つの前記コイルは、一端が２つの前記第２上側スプリング部にそれぞれ電気的に接続され、他端が前記第１上側スプリング部にそれぞれ電気的に接続されることが好ましい。
【００１２】
本発明において、前記ベースは基底部をさらに備え、前記ベースには、第１突出柱及び第２突出柱が設けられ、前記下側スプリングには第１係合孔が形成され、前記第１突出柱は前記第１係合孔内に係合可能に挿入され、前記キャリアには第３突出柱が設けられ、前記上側スプリングは、第２内側部、第２連結変形部及び第２外側部を備え、前記第２連結変形部は、前記第２内側部と前記第２外側部との間を連結し、前記第２外側部には第２係合孔が形成され、前記第２内側部には第３係合孔が形成され、前記第２突出柱は前記第２係合孔内に係合可能に挿入され、前記第３突出柱は、前記第３係合孔内に係合可能に挿入されることが好ましい。
【００１３】
本発明において、前記駆動装置はハウジングをさらに備え、前記ハウジングは前記ベース上に覆設され、前記下側スプリング、前記レンズユニット、前記上側スプリング、前記コイル及び前記磁石は、いずれも前記ハウジング内に収容され、前記端子は、前記レンズユニットと前記ハウジングとの間に形成された隙間を通過して前記上側スプリングに電気的に接続されることが好ましい。
【００１４】
本発明による駆動装置は、２つの端子を含むベースと、レンズユニットと、前記レンズユニットを上側から支持する上側スプリングと、前記レンズユニットに設けられるコイルと、を備え、前記ベースは、その角部で立設する少なくとも２つの角柱を有し、前記２つの端子は、その一端が前記ベースの底部から露出し、他端が前記角柱の上面から露出し、  前記上側スプリングは、内側部と、外側部と、前記内側部と前記外側部との間を連結する連結変形部と、を有して、少なくとも２つの上側スプリング部に分割され、それぞれの前記上側スプリング部の前記外側部は、前記上面で前記ベースに連結されるとともに前記端子に電気的に接続され、それぞれの前記内側部は、前記レンズユニットに連結されるとともに前記コイルの端部が電気的に接続される。
【００１５】
本発明によるカメラモジュールは、上述した駆動装置を備える。
【００１６】
本発明による電子機器は、上述したカメラモジュールを備える。
【００１７】
本発明による駆動装置の製造方法は、下記ステップを含む。即ち、端子を備えたベースを提供するステップと、下側スプリングを提供し、前記下側スプリングを前記ベースに設け、前記下側スプリングの一端を前記ベースに固定するステップと、レンズユニット及びコイルを提供し、前記コイルを前記レンズユニットに設け、前記レンズユニットを前記ベースに設け、且つ、前記下側スプリングの他端を前記レンズユニットに接続するステップと、上側スプリングを提供し、前記上側スプリングを前記レンズユニットに設け、且つ、前記上側スプリングを、前記端子と前記コイルにそれぞれ電気的に接続するステップと、磁石及びハウジングを提供し、前記磁石を前記ハウジング内に設け、且つ、前記ハウジングを前記レンズユニットの上方に覆設して、前記上側スプリングが前記レンズユニットと前記ハウジングとの間に位置され、且つ前記磁石と前記コイルが対応して設けられるようにする。
【発明の効果】
【００１８】
本発明の駆動装置、カメラモジュール、電子機器及び駆動装置の製造方法によれば、端子をコイルと電気的に接続された上側スプリングに電気的に接続して、上側スプリングを介して電気的接続を実現する。また、端子と上側スプリングの接続作業をレンズユニットの上部で行うことができて、操作スペースが広く、便利に作業することができる。そして、レンズユニットの上部で作業を行うため、下側スプリング、レンズユニット及びハウジングをベースの上方に順に設けることができ、すべての部材を反転する必要なく作業できるので、操作がさらに便利になり、組立工程をより簡単化することができる。なお、レンズユニットの上方で作業をするので、上側スプリングと端子を一体に溶接する際、保護膜を増やして、溶接時のレンズユニットの汚染を避けることができる。
【図面の簡単な説明】
【００１９】
【図１】本発明の一実施形態による駆動装置の分解斜視図である。
【図２】図１に示す駆動装置のハウジングを取り外した後の組立図である。
【図３】図２のIII−III線に沿った断面図である。
【図４】本発明の一実施形態による駆動装置の製造方法のフローチャートである。
【発明を実施するための形態】
【００２０】
以下、本発明の実施形態について、図面を参照しながら詳細に説明する。下記実施形態は、本発明を説明するためのものであり、本発明を限定するものではない。
【００２１】
図１〜図３に示すように、本発明の一実施形態による駆動装置は、ベース１０、下側スプリング１２、レンズユニット１４、上側スプリング１６、コイル１８、磁石２０、及びハウジング２２を備える。ベース１０は、端子１０２を備えている。下側スプリング１２は、ベース１０とレンズユニット１４との間に弾性的に設けられている。レンズユニット１４は、ベース１０に対し移動可能にベース１０に設けられている。上側スプリング１６は、レンズユニット１４とハウジング２２との間に設けられている。端子１０２は、一端がベース１０の底部から露出し、他端が上側スプリング１６に向かって上側スプリング１６に電気的に接続される位置まで延伸しており、上側スプリング１６は、コイル１８にも電気的に接続されている。コイル１８は、レンズユニット１４に設けられ、磁石２０は、ハウジング２２に設けられ、且つコイル１８に対応して設けられている。
【００２２】
本駆動装置において、端子１０２をコイル１８と電気的に接続した上側スプリング１６に電気的に接続することで、上側スプリング１６を介した電気的接続を実現する。また、端子１０２と上側スプリング１６の接続作業はレンズユニット１４の上部で行うことができて、操作スペースが広くて、便利に作業することができる。そして、レンズユニット１４の上部で作業を行うため、下側スプリング１２、レンズユニット１４及びハウジング２２をベース１０の上方に順に設けることができ、すべての部材を反転せずに作業できるので、操作がさらに便利になり、組立工程をより簡単化することができる。なお、レンズユニット１４の上部で作業をするので、上側スプリング１６と端子１０２を一体に溶接する際、保護膜を増やして、溶接時のレンズユニット１４の汚染を避けることができる。
【００２３】
本実施形態において、ベース１０は、基底部１０４をさらに備え、端子１０２はベース１０内に嵌装されている。ベース１０は、プラスチックの射出成形により作られてもよい。端子１０２は、例えば金属などの導電材で作られ、ベース１０の成形の際に一体に形成されている。端子１０２は、上下方向に延伸する垂直部１０２Ａと水平方向に広がる水平部１０２Ｂとを有する。本実施形態において、端子１０２は、互いに間隔をあけて２つ設けられている。ベース１０の基底部１０４には第１突出柱１０６が設けられている。ベース１０の四隅部には、それぞれ角柱１０７が１つずつ設けられており、角柱１０７の上面１０７Ａには第２突出柱１０８が設けられている。端子１０２の垂直部１０２Ａの下端は、ベース１０の底部から露出し、垂直部１０２Ａは、角柱１０７の内部を上方に延伸し、上面１０７Ａで水平部１０２Ｂが露出する。端子１０２は、レンズユニット１４の外側エッジの外側に位置している。
【００２４】
本実施形態において、下側スプリング１２は一体構造であり、その一端がベース１０に固定的に連結されており、他端がレンズユニット１４に固定的に連結されている。下側スプリング１２は、レンズユニット１４を支持できるよう作用し、レンズユニット１４がベース１０に対し移動できるようにする。具体的に、下側スプリング１２は第１内側部、第１連結変形部及び第１外側部を備える。第１連結変形部は変形でき、第１内側部と第１外側部との間を連結する。第１外側部はベース１０に固定的に連結され、第１内側部はレンズユニット１４に固定的に連結されている。より具体的には、下側スプリング１２には、第１係合孔１２２が形成され、ベース１０の第１突出柱１０６は第１係合孔１２２内に係合可能に挿入される。
【００２５】
本実施形態において、レンズユニット１４は、キャリア１４２及びキャリア１４２に固定されるレンズ１４４を備えている。具体的に、キャリア１４２とレンズ１４４は一体的に構成されている。もちろん、キャリア１４２とレンズ１４４を個別的に構成し、組立時に一体に組立してもよい。キャリア１４２とレンズ１４４が一体的に構成された場合、組立時の組立工程を簡単化することができる。具体的には、キャリア１４２の上部に第３突出柱１４６が設けられている。
【００２６】
本実施形態において、上側スプリング１６は、一端がベース１０に固定的に連結され、他端がレンズユニット１４に固定的に連結されて、レンズユニット１４がベース１０に対し移動できるようにする。具体的に、上側スプリング１６は、１つの第１上側スプリング部１６２と２つの第２上側スプリング部１６４を備える。第１上側スプリング部１６２と第２上側スプリング部１６４は、いずれも一端がベース１０に固定的に連結され、他端がレンズユニット１４に固定的に連結されている。これにより、レンズユニット１４がベース１０に対し移動できるようにする。２つの第２上側スプリング部１６４の後述する第２外側部は、２つの角柱１０７の上面１０７Ａにそれぞれ露出している２つの端子１０２にそれぞれ電気的に接続される。
【００２７】
具体的には、上側スプリング１６は、第２内側部、第２連結変形部及び第２外側部を備える。第２連結変形部は変形可能であり、且つ第２内側部と第２外側部との間を連結する。また、第２外側部はベース１０に固定的に連結され、第２内側部はレンズユニット１４に固定的に連結されている。更に詳しくは、上側スプリング１６において、第２外側部には第２係合孔１６６が形成され、第２内側部には第３係合孔１６８が形成されており、ベース１０の角柱１０７の上面１０７Ａに形成された第２突出柱１０８は第２係合孔１６６に係合可能に挿入され、キャリア１４２の第３突出柱１４６は第３係合孔１６８に係合可能に挿入されている。
【００２８】
本実施形態において、コイル１８はキャリア１４２に設けられている。また、本実施形態において、コイル１８は２つである。２つのコイル１８は、それぞれの一端が２つの第２上側スプリング部１６４の第２内側部にそれぞれ電気的に接続され、それぞれの他端が第１上側スプリング部１６２の第２内側部に電気的に接続され、これにより２つのコイル１８が直列接続される。電流が一方の端子１０２から流入し、一方の第２上側スプリング部１６４、一方のコイル１８、第１上側スプリング部１６２、他方のコイル１８、他方の第２上側スプリング部１６４を順に流れ、最後に他方の端子１０２から流出する。もちろん、コイル１８は１つであってもよく、このときは対応して上側スプリング１６を２つの部分に分ければよく、上側スプリング１６の２つの部分をそれぞれコイル１８の両端に電気的に接続する。なお、必要に応じて回路の接続を調整することで、コイル１８を３つ又は３つ以上設けてもよい。
【００２９】
具体的に、２つのコイル１８は、それぞれレンズユニット１４の互いに向かい合う両側に設けられる。このように、レンズユニット１４の他の両側にコイル１８が設けられていないため、駆動装置の他の両側の外形寸法を縮小することができて、駆動装置の小型化を図ることができる。
【００３０】
本実施形態において、コイル１８の数に対応して、磁石２０の数も２つであり、２つの磁石２０は、ハウジング２２の対向する２つの内面に設けられ、２つのコイル１８にそれぞれ対向している。同様に、ハウジング２２の他の対向する２つの内面に磁石２０を設けないため、駆動装置の他の両側の外形サイズを縮小することができ、駆動装置の小型化を図ることができる。
【００３１】
本実施形態において、ハウジング２２はベース１０の上に覆設され、下側スプリング１２、レンズユニット１４、上側スプリング１６、コイル１８及び磁石２０をすべてハウジング２２内に収容している。具体的には、ハウジング２２は、ベース１０に固定的に連結されてもよい。端子１０２は、レンズユニット１４とハウジング２２との間に位置して上側スプリング１６に電気的に接続される。
【００３２】
また、本発明によるカメラモジュールは、上記のように構成される駆動装置を備え、さらにベース１０の下方に画像センサを備え、レンズ１４４を通過した光を受けることができる。
さらに、本発明による電子機器は、上記カメラモジュールを備え、例えば、スマートフォン等が該当する。
【００３３】
図４に示すように、本発明による駆動装置の製造方法は、その１つの実施形態として下記ステップを含む。
【００３４】
Ｓ１１：端子１０２を備えたベース１０を提供する。
具体的には、ベース１０は基底部１０４をさらに備え、端子１０２はベース１０内に嵌装されている。ベース１０は、プラスチックの射出成形により作られてもよい。端子１０２は、例えば金属などの導電材により作られ、ベース１０の成形の際に一体に形成されている。端子１０２は、上下方向に延伸する垂直部１０２Ａと水平方向に広がる水平部１０２Ｂとを有する。本実施形態において、端子１０２は、互いに間隔をあけて２つ設けられている。ベース１０の基底部１０４には第１突出柱１０６が設けられている。ベース１０の四隅部には、それぞれ角柱１０７が１つずつ設けられており、角柱１０７の上面１０７Ａには第２突出柱１０８が設けられている。端子１０２の垂直部１０２Ａの下端は、ベース１０の底部から露出し、垂直部１０２Ａは、角柱１０７の内部を上方に延伸し、上面１０７Ａで水平部１０２Ｂが露出する。
【００３５】
Ｓ１３：下側スプリング１２を提供し、下側スプリング１２をベース１０に設け、下側スプリング１２の一端をベース１０に固定する。具体的に、下側スプリング１２は一体構造であり、その一端がベース１０に固定的に連結され、他端がレンズユニット１４に固定的に連結されている。下側スプリング１２は、レンズユニット１４を支持できるよう作用し、レンズユニット１４がベース１０に対し移動できるようにする。具体的に、下側スプリング１２は第１内側部、第１連結変形部及び第１外側部を備える。第１連結変形部は変形でき、且つ第１内側部と第１外側部との間を連結する。第１外側部はベース１０に固定的に連結され、第１内側部はレンズユニット１４に固定的に連結される。より具体的には、下側スプリング１２には、第１係合孔１２２が形成され、ベース１０の第１突出柱１０６は第１係合孔１２２内に係合可能に挿入される。
【００３６】
Ｓ１５：レンズユニット１４及びコイル１８を提供し、コイル１８をレンズユニット１４に設け、レンズユニット１４をベース１０に設け、且つ、下側スプリング１２の他端をレンズユニット１４に連結する。具体的に、まず、コイル１８をレンズユニット１４に装着し、次に、レンズユニット１４をベース１０に設けてもよく、或いは、先にレンズユニット１４をベース１０に設けてから、コイル１８をレンズユニット１４に装着してもよい。
【００３７】
具体的に、レンズユニット１４は、キャリア１４２及びキャリア１４２に固定されるレンズ１４４を備える。本実施形態において、キャリア１４２とレンズ１４４は一体的に構成されている。もちろん、キャリア１４２とレンズ１４４を個別的に構成し、組立時に一体に組立してもよい。キャリア１４２とレンズ１４４が一体的に構成された場合、組立時の組立工程を簡単化することができる。具体的には、キャリア１４２の上部に第３突出柱１４６が設けられている。コイル１８はキャリア１４２に設けられている。本実施形態において、コイル１８は２つである。２つのコイル１８は、それぞれレンズユニット１４の互いに向かい合う両側に設けられる。このように、レンズユニット１４の他の両側にコイル１８が設けられていないため、駆動装置の他の両側の外形寸法を縮小することができて、駆動装置の小型化を図ることができる。もちろん、コイル１８は、１つ、３つ又は３つ以上設けてもよい。
【００３８】
Ｓ１７：上側スプリング１６を提供し、上側スプリング１６をレンズユニット１４に設け、且つ上側スプリング１６を端子１０２とコイル１８にそれぞれ電気的に接続する。
【００３９】
具体的に、上側スプリング１６は、一端がベース１０に固定的に連結され、他端がレンズユニット１４に固定的に連結されて、レンズユニット１４がベース１０に対し移動できるようにする。具体的に、上側スプリング１６は、１つの第１上側スプリング部１６２と２つの第２上側スプリング部１６４を備える。第１上側スプリング部１６２と第２上側スプリング部１６４は、いずれも一端がベース１０に固定的に連結され、他端がレンズユニット１４に固定的に連結されている。レンズユニット１４がベース１０に対し移動できるようにする。２つの第２上側スプリング部１６４は、２つの角柱１０７の上面１０７Ａにそれぞれ露出している２つの端子１０２にそれぞれ電気的に接続される。
【００４０】
具体的に、上側スプリング１６は、１つの第１上側スプリング部１６２と２つの第２上側スプリング部１６４を備え、第１上側スプリング部１６２と第２上側スプリング部１６４は、いずれも一端がベース１０に固定的に連結され、他端がレンズユニット１４に固定的に連結されて、レンズユニット１４がベース１０に対し相対的に移動できるようにする。
【００４１】
更に具体的には、上側スプリング１６は、第２内側部、第２連結変形部及び第２外側部を備える。第２連結変形部は、変形可能であり、且つ第２内側部と第２外側部との間を連結する。第２外側部はベース１０に固定的に連結され、第２内側部はレンズユニット１４に固定的に連結されている。また、上側スプリング１６の第２外側部に第２係合孔１６６が形成され、第２内側部に第３係合孔１６８が形成されており、ベース１０の角柱１０７の上面１０７Ａに形成された第２突出柱１０８は第２係合孔１６６内に係合可能に挿入され、キャリア１４２の第３突出柱１４６は第３係合孔１６８内に係合可能に挿入されている。
【００４２】
ステップＳ１７において、上側スプリング１６をそれぞれ端子１０２及びコイル１８に電気的に接続するとは、具体的には、２つの第２上側スプリング部１６４の第２外側部をそれぞれ２つの端子１０２に電気的に接続し、具体的には、一体に溶接することができ、そして、２つのコイル１８の一端を、それぞれ２つの第２上側スプリング部１６４の第２内側部に電気的に接続し、２つのコイル１８の他端を、それぞれ第１上側スプリング部１６２の第２内側部に電気的に接続することである。これにより２つのコイル１８が直列接続される。電流が一方の端子１０２から流入し、一方の第２上側スプリング部１６４、一方のコイル１８、第１上側スプリング部１６２、他方のコイル１８、他方の第２上側スプリング部１６４を順に流れ、最後に他方の端子１０２から流出する。ここで、コイル１８が１つである場合、対応して上側スプリング１６を２つの部分に分ければよく、上側スプリング１６の２つの部分をそれぞれコイル１８の両端に電気的に接続する。なお、必要に応じて回路の接続を調整することで、コイル１８を３つ又は３つ以上設けてもよい。
【００４３】
Ｓ１９：磁石２０及びハウジング２２を提供し、磁石２０をハウジング２２内に設け、ハウジング２２をレンズユニット１４の上方からかぶせて設けて、上側スプリング１６をレンズユニット１４とハウジング２２との間に位置させ、且つ磁石２０とコイル１８を対応配置させる。
【００４４】
具体的に、ハウジング２２はベース１０の上に覆設され、下側スプリング１２、レンズユニット１４、上側スプリング１６、コイル１８及び磁石２０をすべてハウジング２２内に収容している。ハウジング２２は、ベース１０に固定的に連結されてもよい。端子１０２は、レンズユニット１４とハウジング２２との間に位置して上側スプリング１６に電気的に接続する。
【００４５】
本実施形態の駆動装置の製造方法によって、端子１０２をコイル１８と電気的に接続された上側スプリング１６に電気的に接続することにより、上側スプリング１６を介して電気的接続を実現し、端子１０２と上側スプリング１６の接続作業をレンズユニット１４の上部で行うことができて、操作スペースが広く、便利に作業することができる。そして、レンズユニット１４の上部で作業を行うため、下側スプリング１２、レンズユニット１４及びハウジング２２をベース１０の上方に順に設けることができ、すべての部材を反転する必要なく作業できるので、操作がさらに便利になり、組立工程をより簡単化することができる。また、レンズユニット１４の上部で作業をするので、上側スプリング１６と端子１０２を一体に溶接する際、保護膜を増やして、溶接時のレンズユニット１４の汚染を避けることができる。
【００４６】
図面において、各レイヤー及び領域のサイズ及び相対サイズを実際よりも大きく作図したが、これは説明をより明確するためである。本文において、レイヤー、領域又は基板などの部材が他の部材に「形成される」、「設けられる」或いは「位置される」という説明は、該当する部材が他の部材に直接設けられるか、中間部材によることを含む。一方、他の部材に「直接形成される」或いは「直接設けられる」と説明した場合は、中間部材を利用しない。
【００４７】
本明細書において、他の規定、限定がない限り、「装着」、「互いに連結」、「連結」という説明は、一般的な意味で理解すればよく、例えば、固定的な連結であってもよく、取り外し可能な連結であってもよく、一体的連結であってもよく、機械的連結であってもよく、電気的接続であってもよく、直接連結であってもよく、中間媒体による間接的連結であってもよく、両部材の内部の連通であってもよい。本発明分野の当業者であれば、上記用語の意味を具体的に理解することができる。
【００４８】
もちろん、本明細書において、「上」、「下」、「前」、「後」、「左」、「右」、「頂上」、「底」、「内」、「外」、「垂直」、「水平」などの用語が表す方向又は位置関係は、図面に基づいた方向又は位置関係で、本発明の技術手段をより明確にするためであり、説明の利便性を図るためであって、本発明を限定する表現ではない。
【００４９】
本明細書において、要素を説明するために使用される「第１」、「第２」等の用語は、類似の属性を持つ要素を区別するためにのみ使用され、このように記述された要素が特定の順序や、時間、スペース、レベル、又はその他の制限に従う必要があるという意味ではない。
【００５０】
本明細書において、他の説明がある場合を除き、「複数」、「若干」という表現は、２つ又は２つ以上を指す。
【００５１】
以上に説明した実施形態における各技術特徴は任意組み合わせが可能であり、説明を簡単化するために、本文では上記実施形態における各技術特徴の可能な全ての組み合わせについて説明することがない。これら技術特徴の組み合わせに特に矛盾がない限り、すべて本明細書に記載の範囲として理解すべきである。
【００５２】
本明細書において、「備える」、「含む」またはそれらの任意の他の変形は、非排他的包含を含むように意図され、例えば、挙げられた部材の以外、他の説明していない部材も含む。
【００５３】
以上は、本発明の具体的な実施形態に過ぎず、本発明の保護範囲は上記実施形態に限定されるものではなく、当業者であれば、本発明が開示する技術的範囲内で容易に変更又は置換することができ、本発明の保護範囲内に含まれるべきである。よって、本発明の保護範囲は特許請求の範囲に従うべきである。
【図１】
2020154306.tif 000003
【図２】
2020154306.tif 000004
【図３】
2020154306.tif 000005
【図４】
2020154306.tif 000006